(57)【要約】【課題】パスワードが設定されたＰＣを修理目的などでパスワード設定をリセットする場合の修理治具としてのパスワードリセット装置を提供することを目的とする。【解決手段】パスワードが設定されたＰＣ１０を修理目的などでパスワード設定をリセットするパスワードリセット装置１１であって、パスワードリセット装置を特定する識別番号１３と、識別番号が特定されたものと判定された場合にパスワードリセットを実行するパスワードリセット実行ファイル１５とをＵＳＢメモリに記憶したパスワードリセット装置であり、パスワードリセット装置（ＵＳＢメモリ）をＰＣに接続して起動するだけで設定されたパスワードをリセットできる。【選択図】図２
2008217549.tif 000002
【特許請求の範囲】
【請求項１】
パスワードが設定されたパーソナルコンピュータ（ＰＣ）を修理目的などでパスワード設定をリセットするパスワードリセット装置であって、
前記パスワードリセット装置を特定する識別番号と、
前記識別番号が特定されたものと判定された場合にパスワードリセットを実行するパスワードリセット実行ファイルと、
を前記パスワードリセット装置内部の不揮発性半導体メモリに記憶したことを特徴とするパスワードリセット装置。
【請求項２】
前記パスワードリセット装置はＵＳＢメモリで構成されることを特徴とする請求項１記載のパスワードリセット装置。
【請求項３】
パスワードが設定されたパーソナルコンピュータ（ＰＣ）を修理目的などでパスワード設定をリセットするためのパスワードリセット装置を使用したパスワードリセット方法であって、
前記パスワードリセット装置をＰＣに接続して起動するステップと、
前記ＰＣは前記パスワードリセット装置の識別番号を読み出し、特定の識別番号であるかどうかを判定するステップと、
前記特定の識別番号であると判定された場合、前記ＰＣがパスワードリセット実行許可フラグをセットするステップと、
前記実行許可フラグセットされている場合には前記パスワードリセット装置を優先の起動装置として最優先起動するステップと、
最優先起動となった場合には前記パスワードリセット装置内に記憶されたパスワードリセット実行ファイルを起動するステップと、
前記パスワードリセット実行ファイルは、前記実行許可フラグの状態を取得してパスワードリセットの実行許可を確認するステップと、
前記実行許可フラグがセットされていれば、前記パスワードリセット装置内に記憶されたパスワードリセット実行ファイルは前記ＰＣのパスワードリセットを実行するステップと
を有するパスワードリセット方法。
【発明の詳細な説明】
【技術分野】
【０００１】
本発明はパスワードが設定されたパーソナルコンピュータ（以下、ＰＣ）を顧客の要望により修理目的などでパスワード設定をリセットする場合に、その修理治具としてのパスワードリセット装置、およびこのパスワードリセット装置を用いたパスワードリセット方法に関するものである。
【背景技術】
【０００２】
近年、セキュリティのためにＰＣ起動時にパスワードを入力しないと起動しないのが一般的である。この場合のパスワードはＢＩＯＳ（Ｂａｓｉｃ  Ｉｎｐｕｔ／Ｏｕｔｐｕｔ  Ｓｙｓｔｅｍ）パスワードと呼ばれ、ＢＩＯＳプログラム上において設定されているパスワード（以下、単にパスワードと呼ぶ）のことであり、このパスワードが設定されている場合にはＰＣ起動時に正規のパスワードを入力しないとＰＣのオペレーティングシステム（ＯＳ）が起動しない機能構成になっている。
【特許文献１】特開２００３−３０３１４０号公報
【特許文献２】特開２００３−３３０７２号公報
【特許文献３】特開２００１−２２２４２１号公報
【発明の開示】
【発明が解決しようとする課題】
【０００３】
従来のＰＣは、電池でバックアップされた不揮発性メモリにパスワードを記憶していたため、バックアップ用電池を取り外すなどの単純な方法でパスワードを初期状態に戻すパスワードリセットが可能であり、脆弱であった。
【０００４】
このため、上述のようなバックアップ電池による不揮発性メモリを、バックアップ電池が不要なフラッシュメモリのような不揮発性メモリに変えることで脆弱性を補償できる。しかしその反面、顧客の要望により修理目的などでパスワード設定をリセットする場合には、フラッシュメモリが実装されているプリント基板からこれを取り外して交換する方法以外にパスワード設定をリセットする方法がなかったため、修理が煩わしいといった課題があった。
【０００５】
本発明は上記従来の問題点を解決するもので、パスワードが設定されたＰＣを修理目的などでパスワード設定をリセットする場合の修理治具としてのパスワードリセット装置、およびこのパスワードリセット装置を用いたパスワードリセット方法を提供することを目的とする。
【課題を解決するための手段】
【０００６】
本発明の請求項１に記載の発明は、
パスワードが設定されたパーソナルコンピュータ（ＰＣ）を修理目的などでパスワード設定をリセットするパスワードリセット装置であって、
前記パスワードリセット装置を特定する識別番号と、
前記識別番号が特定されたものと判定された場合にパスワードリセットを実行するパスワードリセット実行ファイルと、
を前記パスワードリセット装置内部の不揮発性半導体メモリに記憶したことを特徴とするパスワードリセット装置、としたものであり、パスワードが設定されたＰＣを修理目的などでパスワード設定をリセットする場合、従来のパスワードリセット方法では大変煩わしいといった課題を解消し、ＵＳＢメモリをＰＣに接続して起動するだけで設定されたパスワードをリセットできるという作用を有する。
【発明の効果】
【０００７】
以上のように本発明は、パスワードが設定されたＰＣを修理目的などでパスワード設定をリセットする場合、従来のパスワードリセット方法では大変煩わしいといった課題を解消し、ＵＳＢメモリをＰＣに接続して起動するだけで設定されたパスワードをリセットできるといった優れた効果が得られる。
【発明を実施するための最良の形態】
【０００８】
以下、本発明の実施の形態について、図１から図３を用いて説明する。
【０００９】
（実施の形態１）
図１は本発明の説明するためのノート型ＰＣとパスワードリセット装置を示す図である。
【００１０】
図１において、１０はノート型ＰＣ、１１は本発明のパスワードリセット装置であり、ＰＣ１０側面部に配置されたＵＳＢポート１２を介してデータを転送する補助記憶装置の一種であるいわゆるＵＳＢメモリで構成されている。ＵＳＢメモリはデータ書き換え可能であり、また電源を切ってもデータが消えない不揮発性半導体メモリであるフラッシュメモリが使われている。
【００１１】
図２は図１同様本発明の説明するためのＰＣとパスワードリセット装置を模式的に示す図である。
【００１２】
図２において、１０はＰＣ、１１は本発明のパスワードリセット装置である。パスワードリセット装置１１は、特定の識別番号１３を持つＵＳＢメモリであり、起動可能なＯＳ１４がインストールされている。また、パスワードリセット装置１１にはＯＳ１４上で実行可能な形式であり、パスワードリセットを実行する実行ファイル１５がＵＳＢメモリ上のファイルとして存在する。
【００１３】
以上のように構成されたパスワードリセットについて、図１、図２を用いてその動作を説明する。
【００１４】
ＵＳＢメモリであるパスワードリセット装置１１をＰＣ１０本体に接続してＰＣを起動すると、ＰＣ１０はパスワードリセット装置１１の識別番号１３を読み出し、特定の識別番号であるかどうかを判定する。識別番号がその特定の識別番号であると判定された場合、ＰＣ１０はパスワードリセット実行許可フラグをセットする。この実行許可フラグは所定のＡＰＩ（アプリケーションインターフェース）で読み出し可能に構成する。
【００１５】
パスワードリセット装置１１が接続されたＰＣ１０を起動すると、実行許可フラグがセットされていれば通常行われるパスワード認証処理を行わず、パスワードリセット装置１１を最優先の起動装置として起動し、ＵＳＢメモリ上のＯＳ１４を介してパスワードリセット実行ファイル１５を起動する。
【００１６】
パスワードリセット実行ファイル１５は、パスワードリセット実行許可フラグの状態を所定のＡＰＩによってＰＣ１０より取得し、パスワードリセット実行許可を確認後、実行許可フラグがセットされていればＰＣ１０のパスワードリセットを実行する。実行許可フラグがセットされていない場合は処理を行なわずに終了する。
【００１７】
よって、パスワードリセット実行ファイルは単独では機能せず、たとえば識別番号１３の特定できない一般のＵＳＢメモリにコピーして起動してもリセット処理はされないため安全である。
【００１８】
図３はＰＣ１０、パスワードリセット装置１１（ＵＳＢメモリ）間で行われるＰＣ１０にパスワードが設定されている場合のワードリセット処理手順を示す図である。
（１）ＵＳＢメモリであるパスワードリセット装置１１をＰＣ１０本体に接続してＰＣを起動する。
（２）ＰＣ１０はパスワードリセット装置１１の識別番号１３を読み出し、特定の識別番号であるかどうかを判定する。
（３）特定の識別番号であると判定された場合、ＰＣ１０はパスワードリセット実行許可フラグをセットする。
（４）パスワードリセット装置１１が接続されたＰＣ１０を起動すると、実行許可フラグがセットされていれば通常行われるパスワード認証処理を行わず、パスワードリセット装置１１を最優先の起動装置としてＵＳＢメモリ内のＯＳ１４を起動する。
（５）ＯＳ１４は、ＵＳＢメモリ内のパスワードリセット実行ファイル１５を起動する。
（６）パスワードリセット実行ファイル１５は、パスワードリセット実行許可フラグの状態を所定のＡＰＩによってＰＣ１０より取得し、パスワードリセット実行許可を確認する。
（７）パスワードリセット実行ファイル１５は、パスワードリセット実行許可フラグがセットされていればＰＣ１０のパスワードリセットを実行する。実行許可フラグがセットされていない場合は処理を行なわずに終了する。
【００１９】
以上のように本実施の形態によれば、パスワードが設定されたＰＣを修理目的などでパスワード設定をリセットする場合、従来のパスワードリセット方法では大変煩わしいといった課題を解消し、ＵＳＢメモリをＰＣに接続して起動するだけで設定されたパスワードをリセットできる。
【００２０】
なお、以上の説明において、ＯＳ１４がパスワードリセット装置１１であるＵＳＢメモリにインストールされているものとして説明したが、このＯＳはパスワードリセット装置内にインストールされていること限定するものではなく、ＰＣ本体内のハードディスクドライブ（ＨＤＤ）、ＢＩＯＳが組み込まれているＲＯＭ内にあってもよい。この場合には、（１）パスワードリセット装置をＰＣに接続、ＰＣ起動
（２）識別番号の判定
（３）パスワードリセット実行許可フラグのセット
（４）ＰＣ内ＯＳを最優先に起動
（５）ＰＣ内ＯＳはＵＳＢメモリ内のパスワードリセット実行ファイルを起動
（６）パスワードリセット実行許可の確認
（７）パスワードリセットの実行
の順でパスワードリセットが行われる。
（（数字）は上述図３の処理ステップの説明に対応している。ステップ（４）において最優先起動となるのはＰＣ内ＯＳであり、ステップ（５）においてパスワードリセット実行ファイルを起動する主体となる。）
またパスワードリセット装置１１はＵＳＢメモリで構成されているものとして説明したが、これに限る必要はなくＳＤメモリカード（登録商標）のようにＰＣに接続可能な他のメモリデバイスであってもよいことは言うまでもない。
【産業上の利用可能性】
【００２１】
本発明にかかるパスワードリセット装置は、パスワードが設定されたＰＣを修理目的などでパスワード設定をリセットする場合、ＵＳＢメモリをＰＣに接続して起動するだけでパスワード設定をリセットできるといった効果を有し、修理等の目的でパスワード設定をリセットする場合の修理治具等として有用である。
【図面の簡単な説明】
【００２２】
【図１】本発明の説明するためのノート型ＰＣとパスワードリセット装置を示す図
【図２】本発明の説明するためのＰＣとパスワードリセット装置を模式的に示す図
【図３】ＰＣ、パスワードリセット装置（ＵＳＢメモリ）間で行われるパスワードリセット処理手順を示す図
【符号の説明】
【００２３】
１０  パーソナルコンピュータ（ＰＣ）
１１  パスワードリセット装置（ＵＳＢメモリ）
１２  ＵＳＢポート
１３  識別番号
１４  オペレーティングシステム（ＯＳ）
１５  パスワードリセットを実行する実行ファイル
【図１】
2008217549.tif 000003
【図２】
2008217549.tif 000004
【図３】
2008217549.tif 000005